(57)【要約】  本発明の基地局（１０１）は、基地局（１０１）と無線通信より通信可能な範囲である無線セル（１０５）内のユーザ装置（１０２）との間で制御シグナリング情報およびユーザデータの通信を行う送受信部（１０１０）と、通信システムにおける下りリンクの帯域幅である下りリンクシステム帯域幅を複数の基礎帯域に分割し、上りリンク制御シグナリング情報のリソースブロックを割り当てるリソース割当部（１０１１）と、ユーザ装置（１０２）に対応する下りリンク基礎帯域における上りリンク制御シグナリング情報をフィードバックするように、ユーザ装置（１０２）が占用する下りリンク基礎帯域の数に基づいて、上り基礎帯域における上りリンク制御シグナリング情報のリソースの割り当てを行うシーケンス割当部（１０１２）と、シーケンスの割り当てに基づいて、ユーザ装置（１０２）の下りリンク基礎帯域に関する上りリンク制御シグナリング情報を取得するとともに、ユーザ装置（１０２）に下りリンク共有データチャネルのリソースブロックを最適に割り当てるリソーススケジューリング送信最適化部（１０１３）と、を備えている。
2010018826.tif 000002
【特許請求の範囲】
【請求項１】
自局と、自局と無線通信より通信可能な範囲であるセル内に存在するユーザ装置とで通信システムを構成している基地局であって、
上記セル内の上記ユーザ装置との間で制御シグナリング情報およびユーザデータの通信を行う送受信手段と、
上記通信システムにおける下りリンクの帯域幅である下りリンクシステム帯域幅を複数の基礎帯域に分割し、上りリンク制御シグナリング情報のリソースブロックを割り当てるリソース割当手段と、
上記ユーザ装置に対応する下りリンク基礎帯域における上りリンク制御シグナリング情報をフィードバックするように、該ユーザ装置が占用する下りリンク基礎帯域の数に基づいて、上り基礎帯域における上りリンク制御シグナリング情報のリソースの割り当てを行うシーケンス割当手段と、
上記シーケンスの割り当てに基づいて、上記ユーザ装置の下りリンク基礎帯域に関する上りリンク制御シグナリング情報を取得するとともに、ユーザ装置に下りリンク共有データチャネルのリソースブロックを最適に割り当てるリソーススケジューリング送信最適化手段と、を備えることを特徴とする基地局。
【請求項２】
上記リソース割当手段は、上りリンクにおけるそれぞれの基礎帯域内の上りリンク制御シグナリング情報にリソースブロックを割り当てるとともに、上りリンク制御シグナリング情報を送信するためのリソースブロックの数と具体的な位置とを割り当てることを特徴とする請求項１に記載の基地局。
【請求項３】
上記リソース割当手段は、上りリンクシステム帯域幅と下りリンクシステム帯域幅とが等しい場合に、上りリンクシステム帯域幅内の上りリンク制御シグナリング情報に用いられるリソースブロックを、それぞれの上りリンク基礎帯域に均等的に割り当てることを特徴とする請求項２に記載の基地局。
【請求項４】
上記リソース割当手段は、上りリンクシステム帯域幅内の上りリンク制御シグナリング情報に用いられるリソースブロックを、いずれか一つの基礎帯域に割り当てることを特徴とする請求項２に記載の基地局。
【請求項５】
上記リソース割当手段は、上りリンク基礎帯域に割り当てられた、上りリンク制御シグナリング情報に用いられるリソースブロックの数を確定することを特徴とする請求項２に記載の基地局。
【請求項６】
上記シーケンス割当手段は、上記ユーザ装置に対応する基礎帯域に含まれた上りリンク制御シグナリング情報をフィードバックするように、該ユーザ装置が用いる下りリンクにおける基礎帯域の数に対応させて下りリンク基礎帯域のシーケンス割当を行うときに、該ユーザ装置が占用した１つの下りリンク基礎帯域と、上記１つの下りリンク制御シグナリング情報リソースとを１対１で対応させることを特徴とする請求項１に記載の基地局。
【請求項７】
上記シーケンス割当手段は、下りリンク制御シグナリング情報を、周波数領域リソースおよびシーケンス領域リソースを含む下りリンク制御シグナリング情報リソースに対応してマッピングするとともに、同一の周波数領域リソースにおいては、上記上りリンク制御シグナリング情報を、異なるシーケンスによってシーケンス領域上で区分し、同一のシーケンス領域に対しては、上記上りリンク制御シグナリング情報を、異なる周波数領域リソースを占用することにより、周波数領域上で区分することを特徴とする請求項６に記載の基地局。
【請求項８】
上記シーケンス割当手段は、上記ユーザ装置に対し周波数領域リソースとシーケンス領域リソースとの割当を行って、該ユーザ装置に対し、対応する基礎帯域に含まれた上りリンク制御シグナリング情報をフィードバックさせる場合、該ユーザ装置に割り当てたシーケンスに対応する上りリンク制御シグナリング情報のリソースを、上記シーケンスを割り当てた基礎帯域と同一の基礎帯域内に割り当てることを特徴とする請求項１に記載の基地局。
【請求項９】
上記シーケンス割当手段は、ユーザ装置に割り当てたシーケンスを、該シーケンスを割り当てた基礎帯域と同一の基礎帯域のリソースブロックにマッピングするとともに、異なるシーケンスに基づいてコード領域上で区分する方式を用いて、異なる下りリンク基礎帯域幅における上りリンク制御シグナリング情報を区分することを特徴とする請求項８に記載の基地局。
【請求項１０】
上記シーケンス割当手段は、複数の連続したリソースブロックの数と等しい数のシーケンスを上記ユーザ装置に割り当て、該ユーザ装置に割り当てたシーケンスを、複数の連続したリソースブロックにマッピングするとともに、異なるリソースブロックにおいて周波数によって区分する方式を用いて、異なる下りリンク基礎帯域幅における上りリンク制御シグナリング情報を区分することを特徴とする請求項８に記載の基地局
【請求項１１】
上記シーケンス割当手段は、複数の連続したリソースブロックの数より多いシーケンスをユーザ装置に割り当て、該ユーザ装置に割り当てたシーケンスを、複数の連続したリソースブロックにマッピングするとともに、リソースブロックが同一の場合、異なるシーケンスによってコードで区分する方式を用いて、異なる下りリンク基礎帯域における上りリンク制御シグナリング情報を区分し、シーケンスが同一の場合、異なるリソースブロックにおいて周波数によって区分する方式を用いて、異なる下りリンク基礎帯域における上りリンク制御シグナリング情報を区分することを特徴とする請求項８に記載の基地局。
【請求項１２】
上記シーケンス割当手段は、ユーザ装置に対しシーケンスの割当を行って、ユーザ装置に対し、対応する基礎帯域に含まれている上りリンク制御シグナリング情報をフィードバックさせる場合に、上りリンクシステム帯域幅と下りリンクシステム帯域幅とが等しいとき、該ユーザ装置に割り当てたシーケンスに対応する上りリンク制御シグナリング情報のリソースが配置された上りリンク基礎帯域を、下りリンク基礎帯域と１つの下りリンク制御シグナリング情報リソースを１対１で対応させることを特徴とする請求項１に記載の基地局。
【請求項１３】
上記上りリンク制御シグナリング情報には、下りリンクの送信に用いられるＣＱＩ（Channel Quality Indicator）、ＨＡＲＱ（Hybrid Automatic Repeat reQuest）に対するＡＣＫ／ＮＡＣＫ（Acknowledgement/Negative Acknowledgement）、および上りデータの送信に用いられるスケジューリング要求が含まれることを特徴とする請求項１に記載の基地局。
【請求項１４】
ユーザ装置に割り当てられたシーケンスに対応する上りリンク制御チャネルのリソースは、同一のリソースブロック内、および、複数の連続したリソースブロック内の少なくとも何れか一方に配置されることを特徴とする請求項１に記載の基地局。
【請求項１５】
基地局と、該基地局と無線通信より通信可能な範囲であるセル内に存在する自端末とで通信システムを構成しているユーザ装置であって、
上記基地局との間でシグナリングおよびデータの通信を行う送受信手段と、
上記通信システムの下りリンクの帯域幅である下りリンク帯域幅における複数の基礎帯域のうち、占用する下りリンク基礎帯域をそれぞれ検出し、該下りリンク基礎帯域のそれぞれにおいてフィードバックする上りリンク制御シグナリング情報を生成するフィードバック情報生成手段と、
それぞれの基礎帯域幅においてフィードバックする情報の内容に基づいて、対応する上りリンク制御チャネルのフォーマットを決定し、上記基地局により、割り当てられたシーケンスに基づいて、上記情報を対応する上りリンクリソースにマッピングさせ、上記基地局にフィードバックする情報フィードバック手段とを備えることを特徴とするユーザ装置。
【請求項１６】
上記フィードバック情報生成手段は、上記基地局により割り当てられた基礎帯域のそれぞれにおける動作モードに基づき、既存のＬＴＥ（Long-Term Evolution）  リリース８フィードバックモードを参照しながら、基礎帯域のそれぞれにおけるＣＱＩに対してそれぞれ計算を行い、
上記基地局によって送信されたＨＡＲＱに対してＡＣＫ／ＮＡＣＫの応答を行い、
上りデータ送信の要求に基づき、スケジューリング要求と、上記基地局との間で予め定められた下りリンク基礎帯域のフィードバック情報とを結合して、上記基地局に報告し、
上記応答とＣＱＩの上りリンクシグナリングとの組合せ情報について、それぞれの基礎帯域に基づいてフィードバックを行うことを特徴とする請求項１５に記載のユーザ装置。
【請求項１７】
上記フィードバック情報生成手段は、上りリンクシステム帯域幅と下りリンクシステム帯域幅が等しい場合、下りリンク基礎帯域のそれぞれにおける上りリンク制御シグナリング情報のいずれに対しても、既存のＬＴＥ  リリース８の関連メカニズムを用いて、対応する上りリンクの基礎帯域内でフィードバックを行うことを特徴とする請求項１５に記載のユーザ装置。
【請求項１８】
上記フィードバック情報生成手段は、基礎帯域のそれぞれにおけるフィードバック情報に対して、フィードバックするそれぞれの内容に基づき、既存のＬＴＥ  リリース８のメカニズムを参照しながら、対応する上りリンク制御チャネルのフォーマットを用いて、該基礎帯域に割り当てられたシーケンスを結合して、シーケンスに対応する上りリンクリソースにより、上記基地局にフィードバックすることを特徴とする請求項１５に記載のユーザ装置。
【請求項１９】
請求項１〜１４のいずれか１項に記載の基地局と、請求項１５〜１８のいずれか１項に記載のユーザ装置とを含む通信システム。
【請求項２０】
自局と、自局と無線通信より通信可能な範囲であるセル内に存在するユーザ装置とで通信システムを構成している基地局の制御方法であって、
上記セル内の上記ユーザ装置との間でシグナリングおよびデータの通信を行う送受信ステップと、
上記通信システムにおける下りリンクの帯域幅である下りリンクシステム帯域幅を複数の基礎帯域に分割し、上りリンク制御シグナリング情報のリソースブロックを割り当てるリソース割当ステップと、
上記ユーザ装置に対応する下りリンク基礎帯域における上りリンク制御シグナリング情報をフィードバックするように、該ユーザ装置が占用する下りリンク基礎帯域の数に基づいて、上り基礎帯域における上りリンク制御シグナリング情報のリソースの割り当てを行うシーケンス割当ステップと、
上記シーケンス割り当てに基づいて、上記ユーザ装置の下りリンク基礎帯域に関する上りリンク制御シグナリング情報を取得するとともに、ユーザ装置に下りリンク共有データチャネルのリソースブロックを最適に割り当てるリソーススケジューリング送信最適化ステップと、を含むことを特徴とする基地局の制御方法。
【請求項２１】
基地局と、該基地局と無線通信より通信可能な範囲であるセル内に存在する自端末とで通信システムを構成しているユーザ装置の制御方法であって、
上記基地局との間でシグナリングおよびデータの通信を行う送受信ステップと、
上記通信システムの下りリンクの帯域幅である下りリンク帯域幅における複数の基礎帯域のうち、占用する下りリンク基礎帯域をそれぞれ検出し、該下りリンク基礎帯域のそれぞれにおいてフィードバックする上りリンク制御シグナリング情報を取得するフィードバック情報生成ステップと、
それぞれの基礎帯域幅においてフィードバックする情報の内容に基づいて、対応する上りリンク制御チャネルのフォーマットを決定し、上記基地局により、割り当てられたシーケンスに基づいて、上記情報を対応する上りリンクリソースにマッピングさせ、上記基地局にフィードバックする情報フィードバックステップとを含むことを特徴とするユーザ装置の制御方法。
【請求項２２】
請求項１〜１４のいずれか１項に記載の基地局と、請求項１５〜１８のいずれか１項に記載のユーザ装置であって、該基地局と無線通信により通信可能な範囲であるセル内に存在するユーザ装置と、を含む通信システムの制御方法であって、
基地局が下りリンクシステム帯域幅を複数の基礎帯域に分割して、上記セル内に存在する各ユーザ装置に通知するステップと、
基地局が、上りリンクの基礎帯域のそれぞれに対して、ＰＵＣＣＨに用いられるリソースブロックを割り当てるステップと、
基地局が、各ユーザ装置がそれぞれに対応する下りリンクの基礎帯域における上りリンク制御シグナリング情報をフィードバックするように、ユーザ装置のそれぞれが占用する下りリンクの基礎帯域の数に基づいて、シーケンスの割当を行うステップと、
各ユーザ装置が、それぞれに対応する下りリンクの基礎帯域をそれぞれ検出して、基礎帯域のそれぞれにおいてフィードバックする上りリンク制御シグナリング情報を取得し、対応する上りリンクリソースにより、基地局にフィードバックするステップと、
基地局が、既知のシーケンスに基づいて、それぞれのユーザ装置に対応する基礎帯域におけるフィードバック情報を取得して、リソースのスケジューリングおよび送信の最適化を行うステップとを含み、
上記上りリンク制御シグナリング情報には、下りリンクの送信に用いられるＣＱＩ、ＨＡＲＱに対するＡＣＫ／ＮＡＣＫによる応答、および上りデータの送信に用いられるスケジューリング要求が含まれることを特徴とする通信システムの制御方法。
【請求項２３】
請求項１〜１４のいずれか１項に記載の基地局を動作させる基地局制御プログラムであって、コンピュータを上記の各手段として機能させるための基地局制御プログラム。
【請求項２４】
請求項１５〜１８のいずれか１項に記載のユーザ装置を動作させるユーザ装置制御プログラムであって、コンピュータを上記の各手段として機能させるためのユーザ装置制御プログラム。
【請求項２５】
請求項２３に記載の基地局制御プログラムおよび請求項２４に記載のユーザ装置制御プログラムの少なくとも何れか一方を記録したコンピュータ読み取り可能な記録媒体。
【発明の詳細な説明】
【技術分野】
【０００１】
本発明は、無線通信の技術分野に関し、特に、ＬＴＥ（Long-Term Evolution）−Ａｄｖａｎｃｅｄが適用された基地局、ユーザ装置、通信システム、基地局の制御方法、ユーザ装置の制御方法、通信システムの制御方法、プログラム、記録媒体に関するものである。
【背景技術】
【０００２】
近年、個人通信の急激な発展に伴い、個人の通信装置の超小形化と多様化が大いに進められている。また、マルチメディア情報、ネットワークゲーム、ビデオ・オン・デマンド、音楽ダウンロードおよび移動テレビなどのデータサービスを提供することにより、通信および娯楽に対する個人の要求を満足しつつある。したがって、如何にして、より高いピーク速度とより大きいシステム周波数帯域とをユーザに提供すべきかということが、次世代の移動通信システムの重要な課題になっている。【０００３】
２００８年５月５〜９日に、米国カンザスシティで、国際標準化団体３ＧＰＰ(the 3rd Generation Partner Project)の３ＧＰＰ  ＲＡＮ１  第５３回の会議が開かれ、ＬＴＥ−Ａｄｖａｎｃｅｄに対する要求条件と可能な関連提案が討論された。会議後に提出され、採択されたＬＴＥ−Ａｄｖａｎｃｅｄ要求（TR36.913v8.0.0、“Requirements for Further Advancements for E-UTRA(LTE-Advanced)”）では、ＬＴＥ−Ａｄｖａｎｃｅｄシステムは最大１００ＭＨｚのシステム周波数帯域を有することを支持すべきであると明確にしていた。また、この会議で多数の会社から、上りリンクに必要な帯域幅が下りリンクシステム帯域幅より小さい場合も支持すべきであると提案された（例えば、非特許文献１）。【０００４】
この提案によると、ＬＴＥ−Ａｄｖａｎｃｅｄシステムの上りリンクと下りリンクのシステム帯域幅のサイズが一致しない問題が生じる。これに対し、既存のＬＴＥシステムでは、上りリンクと下りリンクのシステム帯域幅は等しく、最大のシステム帯域幅は２０ＭＨｚである。したがって、既存のＬＴＥシステムでは、ＬＴＥユーザ装置（移動局装置）から送信する、該ユーザ装置が占用する下りリンク帯域幅における上りリンク制御シグナリング（上りリンク制御情報に関する下りリンク制御シグナリング、または下りリンク制御情報フォーマットゼロの情報とも呼ばれる）は、ＬＴＥ基地局により正確に獲得できていた。したがって、ＬＴＥ−Ａｄｖａｎｃｅｄシステムにおいて上りリンクと下りリンクのシステム帯域幅が非対称のため、新たな上りリンク制御シグナリングのフィードバック方法が要求されている。【０００５】
また、ＬＴＥ−Ａｄｖａｎｃｅｄシステムに対する要求条件の一つとして、ＬＴＥとＬＴＥ−Ａｄｖａｎｃｅｄシステムは同じ周波数スペクトルに共存し、ＬＴＥ−Ａｄｖａｎｃｅｄシステムが既存のＬＴＥユーザ装置に対し互換性を備えることが要求された。
【先行技術文献】
【非特許文献】
【０００６】
【非特許文献１】R1-082468 “Carrier aggregation in LTE-Advanced,” Ericsson, 3GPP TSG RAN1 #53bis meeting, Jun. 30-Jul. 4, 2008；R1-081948 “Proposals for LTE-Advanced Technologies,” NTT Docomo, 3GPP TSG RAN1 #53rd, May 5-9, 2008
【発明の概要】
【発明が解決しようとする課題】
【０００７】
したがって、ＬＴＥ−Ａｄｖａｎｃｅｄシステムにおける上りリンクと下りリンクのシステム帯域幅の非対称状況に適合する簡単で有効な上りリンク制御シグナリングのフィードバック方法が望まれている。さらに、該方法に対して、既存のＬＴＥシステムの関連メカニズムを最大限にそのまま適用して、両システムの互換性、およびＬＥＴシステムからＬＴＥ−Ａｄｖａｎｃｅｄシステムへの円滑な移行を確保することも要求されている。
【課題を解決するための手段】
【０００８】
上記課題を解決するために、本発明に係る基地局は、自局と、自局と無線通信より通信可能な範囲であるセル内に存在するユーザ装置とで通信システムを構成している基地局であって、上記セル内の上記ユーザ装置との間でシグナリングおよびデータの通信を行う送受信手段と、上記通信システムにおける下りリンクの帯域幅である下りリンクシステム帯域幅を複数の基礎帯域（コンポネットキャリアとも称する）に分割し、ＰＵＣＣＨ（Physical Uplink Control Channel）のリソースブロックを割り当てるリソース割当手段と、上記ユーザ装置に対応する下りリンク基礎帯域における上りリンク制御シグナリングをフィードバックするように、該ユーザ装置が占用する下りリンク基礎帯域の数に基づいて、該下りリンク基礎帯域に対しシーケンスの割り当てを行うシーケンス割当手段と、既知のシーケンスの設定に基づいて、上記ユーザ装置の基礎帯域に対応するフィードバック情報を取得し、リソースのスケジューリングおよび送信の最適化を行うリソーススケジューリング送信最適化手段と、を備えることを特徴としている。【０００９】
ここで、上記フィードバック情報とは、例えば、ＳＲ（Scheduling Request）、ＡＣＫ（Acknowledgement）／ＮＡＣＫ（Negative Acknowledgement）、ＣＱＩ（Channel Quality Indicator）、又はこれらの任意的な組合せ情報である。【００１０】
上記の構成によれば、ユーザ装置に対応する基礎帯域における上りリンク制御シグナリングをフィードバックするように、ユーザ装置が占用する下りリンクにおける基礎帯域の数に基づいて基礎帯域のシーケンスの割当を行う。そして、各シーケンスは、それぞれ対応する上りリンクリソースにマッピングされる。【００１１】
これにより、上りリンク制御シグナリングを容易、かつ高効率にフィードバックすることができるとともに、従来のＬＴＥシステムにおけるフィードバックメカニズムをそのまま利用することができる。また、次世代の無線通信システムが備えると考えられる上りリンクと下りリンクのシステム帯域幅が一致していない場合にも対応できる。【００１２】
また、上記課題を解決するために、本発明に係るユーザ装置は、基地局と、該基地局と無線通信より通信可能な範囲であるセル内に存在する自端末とで通信システムを構成しているユーザ装置であって、上記基地局との間でシグナリングおよびデータの通信を行う送受信手段と、上記通信システムの下りリンクの帯域幅である下りリンク帯域幅における複数の基礎帯域のうち、占用する下りリンク基礎帯域をそれぞれ検出し、該基礎帯域のそれぞれにおいてフィードバックする上りリンク制御シグナリングを取得するフィードバック情報生成手段と、それぞれの基礎帯域幅においてフィードバックする情報の内容に基づいて、対応する上りリンク制御チャネルのフォーマットを決定し、上記基地局により、割り当てられたシーケンスに基づいて、上記情報を対応する上りリンクリソースにマッピングさせ、上記基地局にフィードバックする情報フィードバック手段とを備えることを特徴としている。【００１３】
上記の構成によれば、自端末が占用する下りリンクにおける基礎帯域をそれぞれ検出して、基礎帯域のそれぞれにおけるフィードバックしようとする情報を、各基礎帯域に割り当てられたシーケンスに基づいて、基地局にフィードバックする。【００１４】
また、上記課題を解決するために、本発明に係る通信システムは、上記基地局と上記ユーザ装置とを含む構成である。【００１５】
なお、上記基地局およびユーザ装置は、コンピュータによって実現してもよく、この場合には、コンピュータを上記各手段として動作させることにより上記基地局およびユーザ装置をコンピュータにて実現させる基地局の制御プログラム、およびユーザ装置の制御プログラム、およびこれらの少なくとも何れか一方を記録したコンピュータ読み取り可能な記録媒体も、本発明の範疇に入る。
【発明の効果】
【００１６】
上記方法および構成によると、上りリンクのフィードバックリソースを拡大したため、ユーザ装置は、基礎帯域幅のそれぞれにおける上りリンク制御シグナリングをフィードバックする際、ＬＴＥシステムの既存フィードバックメカニズムをそのまま適用することができ、ＬＴＥ−Ａｄｖａｎｃｅｄシステムにおいて上リンクと下りリンクの帯域幅が一致していない問題を解決し、ＬＴＥシステムからＬＴＥ−Ａｄｖａｎｃｅｄシステムへの円滑な移行を確保できる。
【図面の簡単な説明】
【００１７】
以下に、添付した図面に基づいて、本発明の好ましい実施例について説明する。これにより、本発明の上述の目的、特徴および長所がより明瞭になる。
【図１】本発明の実施の形態に係る、ＬＴＥ−Ａｄｖａｎｃｅｄシステムの概略図である。
【図２】上記ＬＴＥ−Ａｄｖａｎｃｅｄシステムに含まれる基地局のブロック図である。
【図３】上記実施の形態に係る、ＬＴＥ−Ａｄｖａｎｃｅｄ対応のユーザ装置のブロック図である。
【図４】上記実施の形態による上りリンク制御シグナリングのフィードバック方法の流れを示すフローチャートである。
【図５】上記基地局のリソース割り当て部が、システム帯域幅を複数の基礎帯域に分割する様子を示す説明図である。
【図６】上記基地局が、システム帯域幅に基づいて上りリンクにおいて、均等的にＰＵＣＣＨのリソースブロック数を割り当てる場合の説明図である。
【図７】上記基地局が、上りリンクシステム帯域幅における１つの上り基礎帯域にＰＵＣＣＨリソースブロックの割り当てを行う場合の説明図である。
【図８】上記上りリンクシステム帯域幅における２つの上り基礎帯域に任意のＰＵＣＣＨリソースブロック数の割り当てを行う場合の説明図である。
【図９】各ユーザ装置に割り当てられた下り基礎帯域の数に応じて、シーケンス番号の割り当てる方法を示す説明図である。
【図１０】２つの上り基礎帯域における＃Ｋseq個のシーケンス番号と対応するＰＵＣＣＨリソースの割り当て方法を示す図である。
【図１１】上記実施の形態において、ＰＵＣＣＨリソースを区分（分割）する様子のうち、同一周波数領域リソースブロックにおける複数シーケンス番号の符号多重の様子を示す説明図である。
【図１２】上記実施の形態において、ＰＵＣＣＨリソースを区分（分割）する様子のうち、同一シーケンス番号で、複数の周波数領域リソースブロックの周波数多重の様子を示す説明図である。
【図１３】上記実施の形態において、ＰＵＣＣＨリソースを区分（分割）する様子のうち、符号多重と周波数多重混合の様子を示す説明図である。
【図１４】上記ユーザ装置が、該ユーザ装置に割り当てられた基礎帯域に対して、周期的なＣＱＩフィードバックを行う場合の説明図である。
【図１５】上記ユーザ装置が、該ユーザ装置に割り当てられた基礎帯域に対してＡＣＫ/ＮＡＫフィードバックを行う場合の説明図である。
【図１６】上記ユーザ装置が、上りリンクデータを送信するための上りリソーススケジューリング要求ＳＲ（Scheduling Request）を送信する場合の説明図である。
【図１７】上記ユーザ装置が、該ユーザ装置に割り当てられた下り基礎帯域と、対応するシーケンス番号とに基づいて、上り基礎帯域における上りリンク制御シグナリングを基地局にフィードバックする場合の説明図である。
【発明を実施するための形態】
【００１８】
以下に、図面を参照しながら、本発明の好ましい実施の形態について詳細に説明する。なお、本発明において必要でない細部および機能については、その説明を略して、本発明に対する理解を混乱させることを避ける。
【００１９】
また、本発明を実現するための形態を詳細に説明するため、以下に、本発明の具体的な実施例を提供する。これらの実施例は、ＬＴＥ−Ａｄｖａｎｃｅｄが適用されたセルラー移動通信システムに適用される。しかし、本発明は、これらの実施例に記載された内容に限定されず、その他の移動通信システムにも適用可能である。
【００２０】
図１は、ＬＴＥ−Ａｄｖａｎｃｅｄシステム１００の概略図である。本発明の実施の形態では、１つの無線セル（セル）１０５内に１つの基地局(ｅＮｏｄｅＢ)１０１と複数のユーザ装置１０２（ａ〜ｅ）を備える。なお、以下において、複数のユーザ装置１０２（ａ〜ｅ）の個性に着目せず、いずれのユーザ装置１０２でもよい場合は、単にユーザ装置１０２と記載する。図１において、基地局１０１は、通信システム１００のサービス制御センターであり、無線セル１０５内のユーザ装置のリソーススケジューリング、およびデータサービスに係るデータの送信を行う。
【００２１】
通信システム１００の下りリンクの帯域幅（以下、下りリンクシステム帯域幅）５０は、１００ＭＨｚであり、基地局１０１は、該下りリンクシステム帯域幅５０を２０ＭＨｚごとに、１つの下り基礎帯域（５１〜５５、上りリンクシステム帯域幅にも複数上り基礎帯域があり、コンポネットキャリアとも呼ばれる）として分割する。上記無線セル１０５内には、複数のユーザ装置１０２がランダムに分布されている。それぞれのユーザ装置１０２の下りリンクの帯域幅は、ユーザの業務類型、チャネル状況、又はその他の要素に基づいて基地局１０１により決定される。ユーザ装置１０２の下りリンクの帯域幅は、システム帯域幅の全体である場合もあるし、１つ又は複数の下り基礎帯域である場合もある。
【００２２】
例えば、図１に示す例では、下りシステム帯域幅１００ＭＨｚは、２０ＭＨｚの基礎帯域５１〜５５に分割されており、ユーザ装置１０２ａに対して、基礎帯域５１、５２、５３、５５が割り当てられている。また、ユーザ装置１０２ｂに対しては、基礎帯域５２、５３が割り当てられている。また、ユーザ装置１０２ｃに対しては、基礎帯域５１、５３、５４が割り当てられている。また、ユーザ装置１０２ｄに対しては、基礎帯域５１〜５５の全てが割り当てられている。またユーザ装置１０２ｅに対しては、基礎帯域５５が割り当てられている。
【００２３】
なお、上述した実施の形態では、ユーザ装置１０２が５台の場合で説明したが、ユーザ装置１０２の台数はこれに限られない。
【００２４】
図２は、本発明の基地局１０１の要部構成を示すブロック図である。図２に示すように、本発明の基地局１０１は、送受信部（送受信手段）１０１０、リソース割当部（リソース割当手段）１０１１、シーケンス割当部（シーケンス割当手段）１０１２、および、リソーススケジューリング送信最適化部（リソーススケジューリング送信最適化手段）１０１３を備えている。
【００２５】
送受信部１０１０は、無線セル１０５内のユーザ装置１０２との間で制御シグナリングおよびユーザデータの通信を行う。
【００２６】
リソース割当部１０１１は、下りリンクシステム帯域幅を複数の下り基礎帯域に分割して、上りリンク制御チャネルのリソースを割り当てると同時に、上りリンク制御シグナリング情報を含む上りリンク制御チャネルＰＵＣＣＨ（Physical Uplink Control Channel）にリソースブロックを割り当てる。
【００２７】
シーケンス割当部１０１２は、ユーザ装置１０２に対応する上りリンクにおける基礎帯域に含まれる上りリンク制御シグナリング情報をフィードバックするため、ユーザ装置１０２が占用する下りリンクにおける基礎帯域の数に基づいて、下り基礎帯域に対応する上り基礎帯域にある上りリンク制御シグナリング情報のリソースを示す周波数領域のリソースブロックとシーケンス割当を行う。１つのシーケンスは上りリンク制御シグナリング情報のリソースと対応し、ユーザ装置の同一のシーケンスは該当ユーザ装置の上りリンクシステム帯域幅中の同一の上り基礎帯域の上りリンク制御チャネルにあるリソースと対応する。
【００２８】
リソーススケジューリング送信最適化部１０１３は、シーケンス割当部１０１２によりユーザ装置に割り当てた既知のシーケンスに基づいて、それぞれのユーザ装置１０２の各上り基礎帯域に対応するフィードバック情報、すなわち上りリンンク制御シグナリング情報を取得して、上りリンンク制御シグナリング情報に含まれる下りリンクのチャネル品質情報（ＣＱＩ）およびハイブリッド自動再送要求（ＨＡＲＱ:Hybrid Automatic Repeat reQuest）に対する応答（ＡＣＫ/ＮＡＣＫ）に応じて、下りリソーススケジューリング送信の最適化を行う。ここの最適化とは、リソーススケジューリング送信最適化部１０１３は、上りリンンク制御シグナリング情報から取得した下りリンクのチャネル品質情報（ＣＱＩ）、及び該当ユーザ装置の下りリンクデータ量と全体下りリンクデータ量に応じて、３ＧＰＰ仕様書に規定されているアルゴリズム、例えば該当ユーザ装置データ伝送スループットが最大、あるいは全体ユーザ装置の平均データ伝送スループットが最大になるように、下りリンク共有チャネルＰＤＳＣＨ（Physical Downlink Shared Channel）の該当ユーザ装置データリソースブロックおよび／または全体ユーザ装置データリソースブロックを割り当てる。またハイブリッド自動再送要求ＨＡＲＱに対する応答（ＡＣＫ／ＮＡＣＫ）に応じて、該当ユーザ装置データの再送を行う。
【００２９】
図３は、本発明のユーザ装置の要部構成を示すブロック図である。図３に示すように、本発明のユーザ装置１０２は、送受信部（送受信手段）１０２０、上りリンク制御シグナリング情報であるフィードバック情報生成部（フィードバック情報生成手段）１０２１、および情報フィードバック部（情報フィードバック手段）１０２２を備えている。
【００３０】
送受信部１０２０は、基地局との間で制御シグナリングおよびユーザデータの通信を行う。
【００３１】
フィードバック情報生成部１０２１は、占用する下り基礎帯域をそれぞれ検出して、下り基礎帯域のそれぞれにおけるフィードバック必要の上りリンク制御シグナリング情報であるフィードバック情報を生成する。
【００３２】
情報フィードバック部１０２２は、フィードバック情報生成部１０２１が生成した各上り基礎帯域幅のフィードバック情報を、３ＧＰＰ仕様書に定義した適切な上りリンク制御チャネルのフォーマットを使用し、基地局１０１のシーケンス割当部１０１２により割り当てられたシーケンスに基づいて、上記フィードバック情報を対応する上りリンク制御情報リソースにマッピングし、基地局１０１へのフィードバックを行う。
【００３３】
図２および図３には、各部で示されたモジュールにより本発明の実施の形態に係る基地局１０１およびユーザ装置１０２の具体的な構成が示されているが、本分野の当業者にとって、本発明がこれらの具体的なモジュールに限定されず、その中の一部又は全部のモジュールに対して整合、分割又は他の組合せをすることができ、あるいは、ソフトウェア、ハードウェア又はそれらの組合せにより実現できることは明らかなことである。
【００３４】
本実施の形態に係るＬＴＥシステムの具体的な構成および上りリンクと下りリンクの具体的なメカニズムについては、国際標準化団体３ＧＰＰの文書：TS36.213V8.3.0，“Evolved Universe LTE terrestrial Radio Access (E-UTRA); Physical Layer Procedures”（物理レイヤーの手順）を参照することができる。
【００３５】
本実施の形態において、ＬＴＥシステムの上りリンク制御チャネルの物理リソースにおける具体的なマッピング方式は、国際標準化団体３ＧＰＰの文書：TS36.211V8.3.0，“Evolved universal terrestrial Radio Access（E-UTRA）;Physical Channels and Modulation”（物理チャネルと変調）を参照することができる。
【００３６】
図４は、本発明の実施の形態による上りリンク制御シグナリング情報のフィードバック方法の流れを示すフローチャートである。
【００３７】
以下、図４〜１７を参照しながら、本発明のＬＴＥ−Ａｄｖａｎｃｅｄシステムに用いられる上りリンク制御シグナリング情報のフィードバック方法について詳細に説明する。
【００３８】
（基地局の上下り基礎帯域設定情報通知ステップ（Ｓ４０１））
まず、基地局１０１のリソース割当部１０１１は、上り・下りシステム帯域幅を複数の基礎帯域に分割し、上位レイヤシグナリングを通じて、基地局１０１がカバーする無線セル１０５内に存在する各ユーザ装置１０２に、それぞれのユーザ装置１０２に割り当てられた上り・下り基礎帯域を示す設定情報を通知する（Ｓ４０１）。図５に、基地局１０１のリソース割り当て部１０１１が、下りリンクシステム帯域幅を複数の下り基礎帯域に分割する様子を示す。
【００３９】
次に、基地局１０１のリソース割当部１０１１は、上りリンク制御シグナリング情報を含む上りリンク制御チャネルＰＵＣＣＨ（Physical Uplink Control Channel）にリソースブロックを割り当てる（Ｓ４０２）。本実施の形態において、上りリンクシステム帯域幅は、４０ＭＨｚであり、上り基礎帯域２つ分である。上りリンクの伝送方式としては、ＳＣ-ＦＤＭＡ（Single-carrier FDMA）、ＯＦＤＭＡ（Orthogonal Frequency Division Multiple Access）またはこれらの結合を利用することができる。
【００４０】
（基地局のＰＵＣＣＨリソースブロック数の割り当てステップ（Ｓ４０２））
本実施の形態において、基地局１０１のリソース割当部１０１１による、上りリンク制御チャネルＰＵＣＣＨリソースブロック数の割り当て（Ｓ４０２）について、３つの具体例を挙げる。
【００４１】
（具体例１−１）
図６は、基地局１０１が、上りリンクシステム帯域幅に基づいて、上りリンクにおいて、均等的にＰＵＣＣＨのリソースブロック数を割り当てる場合の説明図である。本具体例では、図６に示すように、上りリンク帯域幅におけるＰＵＣＣＨリソースブロック数が、均等的に各上り基礎帯域に割り当てられる。特に、上りリンクシステム帯域幅が下りリンクシステム帯域幅と等しい場合に対して、上りリンク帯域幅におけるＰＵＣＣＨリソースブロック数は、均等的に各上りリンク基礎帯域に割り当てることが好ましい。
【００４２】
（具体例１−２）
図７は、基地局１０１が、上りリンクシステム帯域幅における１つの上り基礎帯域にＰＵＣＣＨリソースブロックの割り当てを行う場合の説明図である。上りリンクシステム帯域幅におけるすべてのＰＵＣＣＨリソースブロック数が第１番目の上り基礎帯域内（図７の左側の上り基礎帯域）に集中し、第２番目の上り基礎帯域内（図７の右側の上り基礎帯域）にはＰＵＣＣＨに用いられるリソースブロックが存在しない割り当てを行う。
【００４３】
（具体例１−３）
図８は、基地局１０１が、上りリンクシステム帯域幅における２つの上り基礎帯域に任意のＰＵＣＣＨリソースブロック数の割り当てを行う場合の説明図である。本具体例では、図８に示すように、第１番目の上り基礎帯域内（図８の左側の上り基礎帯域）に割り当てられたＰＵＣＣＨリソースブロック数をｎ個割り当てる。第２番目の上り基礎帯域内（図８の右側の上り基礎帯域）に割り当てられたＰＵＣＣＨリソースブロック数は、上り帯域幅におけるＰＵＣＣＨリソースブロックの総数から第１番目の上り基礎帯域内に割り当てられたＰＵＣＣＨリソースブロックの個数ｎを減算した数になる。これにより、２つの上り基礎帯域へのＰＵＣＣＨリソースブロック数の割り当てを任意に決定することができる。
【００４４】
上記３つの例における具体的なＰＵＣＣＨリソースブロック数の割り当て方法は、国際標準化団体３ＧＰＰの文書：TS36.211V8.3.0，“Evolved Universe LTE Terrestrial Radio Access (E-UTRA); Physical ChannelsandModulation”（物理チャネルと変調）に記載されている。基地局１０１は、上記設定情報を、基地局１０１がカバーする無線セル１０５内に存在する各ユーザ装置１０２に通知する。
【００４５】
（ＰＵＣＣＨリソースのシーケンスの割り当てステップ（Ｓ４０３）
基地局１０１のシーケンス割当部１０１２は、ユーザ装置１０２に対応する上りリンクのそれぞれにおける基礎帯域に含まれた上りリンク制御シグナリング情報、すなわちフィードバック情報をフィードバックするため、ユーザ装置１０２が占用する下り基礎帯域の数に基づいて、上り基礎帯域における上りリンクシグナリング情報のＰＵＣＣＨリソースのシーケンス割当を行う（Ｓ４０３）。
【００４６】
ＰＵＣＣＨリソースは、周波数領域のＰＵＣＣＨリソースブロックおよび１つのシーケンスのサイクリックシフトにより複数のサイクリックシフトシーケンスＣＳ(Cyclic Shift)により構成されている。図１１はＰＵＣＣＨリソースの構成で、周波数軸（ｆ）で分割されたブロックはＰＵＣＣＨリソースブロック(横長い四角)、シーケンス番号軸で分割されたブロックは異なるサイクリックシフトシーケンスＣＳ（縦長い四角）を示している。１つのＰＵＣＣＨリソースブロックは１２個のサイクリックシフトシーケンスＣＳ（文中では、シーケンスと称する）が含まれる。
【００４７】
基地局１０１のシーケンス割当部１０１２により、ユーザ装置１０２が占用する下り基礎帯域の数に基づいて、上り基礎帯域におけるＰＵＣＣＨリソースのシーケンス番号の割当方法として、３つの具体例を挙げる。
【００４８】
例１では、同一のユーザ設備に対して、下り基礎帯域の数と無関係で、割り当てられたシーケンス番号に対応する上りリンク制御シグナリング情報のＰＵＣＣＨリソースが同一の上り基礎帯域にある。例えば図７に示した様子である。
【００４９】
例２では、同一のユーザ設備に対して、下り基礎帯域の数と関連して、割り当てられたシーケンス番号に対応する上りリンク制御シグナリング情報のＰＵＣＣＨリソースが複数の上り基礎帯域にある。例えば図６、８に示した様子である。
【００５０】
例３では、上り・下りリンクシステム帯域幅が同じの場合、同一のユーザ設備に対して、下り基礎帯域に対応して、割り当てられたシーケンス番号に対応する上りリンク制御シグナリング情報のＰＵＣＣＨリソースが対応する下り基礎帯域のペアである上り基礎帯域にある。
【００５１】
上記の３つの例に対して、図９は、各ユーザ装置に割り当てられた下り基礎帯域の数に応じて、シーケンス番号の割り当てる方法を示す説明図である。図９に示す例では、下りリンクシステム帯域幅９１における基礎帯域（９５〜９９）にそれぞれ、ｎ１個、ｎ２個、ｎ３個、ｎ４個、ｎ５個のユーザ装置が存在している。割り当てられたシーケンスの総数＃Ｋseqはユーザ装置の総数となる。そして、１番目のユーザ装置１には、５つの連続基礎帯域を割り当てたため、各基礎帯域と対応するシーケンス番号♯１〜＃５のＰＵＣＣＨリソースを割り当てる。また、２番目のユーザ装置２には、非連続の３つの基礎帯域を割り当てたため、各基礎帯域と対応するシーケンス番号＃６〜＃８のＰＵＣＣＨリソースを割り当てる。以下、同様に、ｎ番目のユーザ装置ｎには、１つの基礎帯域を割り当てたため、この基礎帯域と対応するシーケンス番号＃ＫseqのＰＵＣＣＨリソースを割り当てる。
【００５２】
図１０は、２つの上り基礎帯域における＃Ｋseq個のシーケンス番号と対応するＰＵＣＣＨリソースの割り当て方法を示す図である。＃Ｋseq個シーケンス番号は、前記上りリンクおけるＰＵＣＣＨリソースブロック数を割り当てる方法（Ｓ４０２）により割り当てられたＰＵＣＣＨリソースブロック数応じて、分散的に対応するＰＵＣＣＨリソースに割り当てを行う。例えば、図９に示した１番目のユーザ装置１に割り当てられたシーケンス番号♯１〜＃５のＰＵＣＣＨリソースが第１番目の上り基礎帯域内（図１０の左側の上り基礎帯域）にある。同様に、図９に示したｎ番目のユーザ装置ｎに割り当てられたシーケンス番号＃ＫseqのＰＵＣＣＨリソースが第２番目の上り基礎帯域内（図１０の右側の上り基礎帯域）にある。
【００５３】
図１１に示すように、ＰＵＣＣＨリソースは、周波数領域のリソースブロックとシーケンス（符号、またはコード）領域のリソースとを含む。
【００５４】
ＰＵＣＣＨリソース情報を区分する方法について、以下に、図１１〜１３を参照して、３つの具体例を説明する。図１１〜１３は、ＰＵＣＣＨリソースを区分（分割）する様子を示す説明図である。なお、図１１〜１３は、いずれも、縦軸が周波数（ｆ）、横軸がシーケンス番号を示す。
【００５５】
（具体例２−１）
同一のユーザ装置は、同一の上り基礎帯域を使って上りリンク制御シグナリング情報をフィードバックする。ユーザ装置に割り当てられたシーケンス番号は同一の周波数領域リソースブロックにマッピング（割り当てる）する。異なる下り基礎帯域に対応する上りリンク制御シグナリング情報のフィードバックは、異なるシーケンス番号により、シーケンスで区分する方法（符号多重）を使用して区分する。図１１は、同一周波数領域リソースブロックにおける複数シーケンス番号の符号多重の様子を示す説明図である。
【００５６】
（具体例２−２）
同一のユーザ装置は、同一の上り基礎帯域を使って上りリンク制御シグナリングをフィードバックする。ユーザ装置に割り当てられたシーケンス番号が同一であるが、Ｍ個の連続した周波数領域リソースブロックにマッピング（割り当てる）する。ここで、Ｍは、該ユーザ装置がフィードバックしようとする上りリンク制御シグナリング情報に対応する下り基礎帯域の数である。したがって、異なる下り基礎帯域幅に対応するフィードバック情報は、異なる周波数領域リソースブロックによって、周波数で区分する方法（周波数多重）を使用して区分する。図１２は、同一シーケンス番号で、複数の周波数領域リソースブロックの周波数多重の様子を示す説明図である。
【００５７】
（具体例２−３）
同一のユーザ装置は、同一の上り基礎帯域を使って上りリンク制御シグナリングをフィードバックする。該ユーザ装置に割り当てられた部分のシーケンス番号が同一である場合、連続した周波数領域リソースブロックにマッピング（割り当てる）する。該ユーザ装置に割り当てられた部分のシーケンス番号が異なる場合、同一の周波数領域リソースブロックにマッピング（割り当てる）する。したがって、異なる下り基礎帯域幅に対応するフィードバック情報は、異なるシーケンス番号または周波数領域リソースブロックにより、符号で区分する方法および周波数で区分する方法の両方をともに使用して区分する。図１３は、符号多重と周波数多重混合の様子を示す説明図である。
【００５８】
（ユーザ装置のフィードバック情報生成ステップ（Ｓ４０４））
次に、ユーザ装置１０２のフィードバック情報生成部１０２１は、対応する下り基礎帯域に対してそれぞれ検出して、それぞれの基礎帯域幅におけるフィードバックが必要な上りリンク制御シグナリング情報、すなわちフィードバック情報を生成する（Ｓ４０４）。
【００５９】
ステップＳ４０４における処理の具体例を３つ、図１４〜１６を参照して、以下に説明する。図１４〜１６は、フィードバック情報生成部１０２１の処理の説明図である。
【００６０】
（具体例３−１）
図１４は、ユーザ装置１０２が、該ユーザ装置１０２に割り当てられた基礎帯域に対して、周期的なＣＱＩフィードバックを行う場合の説明図である。図１４に示すように、周期的に行われるチャネル品質情報(ＣＱＩ)のフィードバックについて、ユーザ装置１０２は、基地局１０１が割り当てた基礎帯域幅のそれぞれにおける動作モードに基づき、既存のＬＴＥ  リリース８（Ｒｅｌ−８）仕様書に記載しているフィードバックモードを参照しながら、基礎帯域のそれぞれにおけるチャネル品質情報に対してそれぞれ計算を行う。
【００６１】
（具体例３−２）
図１５は、ユーザ装置１０２が、該ユーザ装置１０２に割り当てられた基礎帯域に対してＡＣＫ/ＮＡＫフィードバックを行う場合の説明図である。図１５に示すように、ハイブリッド自動再送要求（ＨＡＲＱ）のフィードバックについて、ユーザ装置は、基地局がそれぞれの基礎帯域に送信したハイブリッド自動再送要求に対して応答(ＡＣＫ／ＮＡＫ)を行う。
【００６２】
（具定例３−３）
図１６は、ユーザ装置１０２が、上りリンクデータを送信するための上りリソーススケジューリング要求ＳＲ（Scheduling Request）を送信する場合の説明図である。図１６に示すように、スケジューリング要求ＳＲの送信について、ユーザ装置１０２は、上りデータ送信の要求に基づき、上記スケジューリング要求ＳＲを、基地局１０１との間で予め規定した上り基礎帯域を通じて、基地局１０１に送信する。
【００６３】
また、ＡＣＫ/ＮＡＫとＣＱＩの上りリンクシグナリングの組合せ情報について、ユーザ装置１０２は、それぞれの基礎帯域に基づいてフィードバックを行う。
【００６４】
（ユーザ装置のＰＵＣＣＨフォーマットの決定ステップ（Ｓ４０５））
ユーザ装置１０２の情報フィードバック部１０２２は、それぞれの基礎帯域幅におけるフィードバック情報の内容に基づいて、既存のＬＴＥシステムのメカニズムを参照しながら、上りリンク制御チャネルＰＵＣＣＨのフォーマットを決定する（Ｓ４０５）。上記フィードバック情報とは、例えば、ＳＲ、ＡＣＫ/ＮＡＫ、ＣＱＩ、又はこれらの任意的な組合せ情報であることができる。上記上りリンク制御チャネルＰＵＣＣＨのフォーマットについて、具体的には、国際標準化団体３ＧＰＰの文書：TS36.213V8.3.0およびTS36.211V8.3.0に係る内容を参照する。
【００６５】
（ユーザ装置のフィードバックステップ（Ｓ４０６））
ユーザ装置１０２の情報フィードバック部１０２２は、それぞれの下りリンクの基礎帯域幅における必要とするフィードバック情報を該基礎帯域に割り当てられたシーケンスに結合して、相応する上りリンクリソースとのマッピングによって、フィードバック情報を基地局に送信する（Ｓ４０６）。図１７に情報フィードバック部１０２２の処理の様子を示す。図１７は、ユーザ装置１０２が、該ユーザ装置１０２に割り当てられた下り基礎帯域と、対応するシーケンス番号とに基づいて、上り基礎帯域における上りリンク制御シグナリング情報、すなわちフィードバック情報を基地局１０１にフィードバックする場合の説明図である。
【００６６】
（基地局の下りリンクユーザデータリソース割り当てステップ（Ｓ４０７））
基地局１０１のリソーススケジューリング送信最適化部１０１３は、既知のシーケンス番号によって、各ユーザ装置１０２のそれぞれの下りリンク基礎帯域に関するフィードバック情報を取得し、下りリンクユーザデータのリソースのスケジューリング（割り当て）と送信の最適化を行う（Ｓ４０７）。
【００６７】
そして、ステップＳ４０１〜Ｓ４０７を繰り返して行う。
【００６８】
ステップＳ４０１〜Ｓ４０６を繰り返して実行することにより、図４に示すように、無線セル１０５内の基地局１０１とすべてのユーザ装置１０２との正常通信を確保する。
【００６９】
上述したように、本発明に係る実施の形態は、以下のような上りリンク制御シグナリング情報のフィードバック方法を提供する。すなわち、基地局１０１は、上りリンク制御チャネルＰＵＣＣＨにリソースブロックを割り当て、基礎帯域の数に基づいて、各ユーザ装置１０２の上りリンク制御情報に関する下りリンク制御シグナリング情報をフィードバックするため、シーケンスを割り当てる。ユーザ装置１０２は、割り当てられたシーケンスに基づいて、各システム帯域幅における上りリンク制御シグナリング情報のフィードバック情報に計算し、シーケンスに対応するリソースによって、ユーザ装置１０２にフィードバックする。これにより、ＬＴＥ−Ａｄｖａｎｃｅｄシステムにおける上リンクと下りリンクシステム帯域幅が非対称の場合に、上りリンク制御シグナリング情報を如何にフィードバックするかという問題が解決される。また、既存のＬＴＥシステムの関連メカニズムをそのまま使用できるため、ＬＴＥシステムからＬＴＥ−Ａｄｖａｎｃｅｄシステムへの円滑な移行を確保する。そのため、本発明に係る実施の形態の技術的方法は、実際の応用に応じて適用することができ、第３世代以後移動通信システム(B3G：Beyond the 3rd Generation)、第４世代移動通信システム(4G：the 4rd Generation)、デジタルテレビ、無線ローカルアクセスネットワーク（WLAN:Wireless Local Access Network）、自己編成ネットワーク(Mesh、AdHoc、CensorNetwork)、イーホーム(e-Home)および無線広域ネットワーク(WWAN)などのシステムに、重要な理論的な根拠と具体的な実現方法を提供している。
【００７０】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７１】
最後に、基地局１０１およびユーザ装置１０２の各ブロック、特に基地局１０１の送受信部１０１０、リソース割当部１０１１、シーケンス割当部１０１２、リソーススケジューリング送信最適化部１０１３、およびユーザ装置１０２の送受信部１０２０、フィードバック情報生成部１０２１、情報フィードバック部１０２２は、ハードウェアロジックによって構成してもよいし、次のようにＣＰＵ（central processing unit）を用いてソフトウェアによって実現してもよい。
【００７２】
すなわち、基地局１０１およびユーザ装置１０２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである基地局１０１およびユーザ装置１０２の制御プログラムのプログラムコード（実行形式プログラム、中間コードプログラム、ソースプログラム）をコンピュータで読み取り可能に記録した記録媒体を、上記の基地局１０１およびユーザ装置１０２に供給し、そのコンピュータ（またはＣＰＵやＭＰＵ（microprocessor unit））が記録媒体に記録されているプログラムコードを読み出し実行することによっても、達成可能である。
【００７３】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【００７４】
また、基地局１０１およびユーザ装置１０２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７５】
また、本発明は以下の構成であってもよい。
【００７６】
本発明の目的は、以下のような上りリンク制御シグナリング情報のフィードバック方法を提供することにある。すなわち、基地局は、上りリンク制御チャネルに必要なリソースを割り当てる。そして、基地局は、ユーザ装置に対応する基礎帯域における上りリンク制御シグナリング情報をフィードバックするため、ユーザ装置が占用する下りリンクにおける基礎帯域の数に基づいて基礎帯域のシーケンス割当を行う。各シーケンスは、それぞれ対応する上りリンクリソースにマッピングされる。ユーザ装置は、該ユーザ装置が占用する下りリンクにおける基礎帯域をそれぞれ検出して、基礎帯域のそれぞれにおけるフィードバックしようとする情報を、各基礎帯域に割り当てられたシーケンスに基づいて、基地局にフィードバックする。上述した技術的方法により、上りリンク制御シグナリング情報を簡単で高効率にフィードバックすることができ、既存フィードバックメカニズムをそのまま利用することができる。また、次世代の無線通信システムに有すると考えられる上りリンクと下りリンクのシステム帯域幅が一致していない状況にも良好に対応できる。
【００７７】
本発明の第１の側面によると、本発明の上りリンク制御シグナリング情報のフィードバック方法は、上記課題を解決するために、基地局が下りリンクシステム帯域幅を複数の基礎帯域に分割して、システムの放送により、該基地局のカバーするセルに存在する各ユーザ装置に通知する第一ステップと、基地局が、上りリンクの基礎帯域のそれぞれに対して、物理上りリンク制御チャネル（ＰＵＣＣＨ）に用いられるリソースブロック（ＲＢ:Resource Block）の数を割り当てる第二ステップと、基地局が、各ユーザ装置がそれぞれに対応する下りリンクの基礎帯域における上りリンク制御シグナリング情報をフィードバックするように、ユーザ装置のそれぞれが占用する下りリンクの基礎帯域の数に基づいて、シーケンスの割当を行う第三ステップと、各ユーザ装置が、それぞれに対応する下りリンクの基礎帯域をそれぞれ検出して、基礎帯域のそれぞれにおけるフィードバックしようとする上りリンク制御シグナリング情報を取得し、対応する上りリンクリソースにより、基地局にフィードバックする第四ステップと、基地局が、既知のシーケンスに基づいて、それぞれのユーザ装置に対応する基礎帯域におけるフィードバック情報を取得して、リソースのスケジューリングおよび送信機の最適化を行う第五ステップとを含み、上記上りリンク制御シグナリング情報には、下りリンクの送信に用いられるチャネル品質情報（ＣＱＩ）、ハイブリッド自動再送要求（ＨＡＲＱ:Hybrid Automatic Repeat reQuest）に対する応答（ＡＣＫ／ＮＡＣＫ）、および上りデータの送信に用いられるスケジューリング要求（ＳＲ）が含まれることを特徴としている。
【００７８】
本発明の第２の側面によると、本発明の基地局は、上記課題を解決するために、セル内のユーザ装置との間で制御シグナリングおよびユーザデータの通信を行う送受信部と、下りリンクシステム帯域幅を複数の基礎帯域に分割し、上りリンク制御チャネルのリソースを割り当てるリソース割り当て部と、ユーザ装置に対応する下りリンク基礎帯域における上りリンク制御シグナリング情報をフィードバックするように、ユーザ装置が占用する下りリンク基礎帯域の数に基づいて、基礎帯域に対しシーケンスの割当を行うシーケンス設定割当部と、既知のシーケンスの設定に基づいて、それぞれのユーザ装置の各基礎帯域に対応するフィードバック情報を取得し、リソースのスケジューリングおよび送信機の最適化を行うリソーススケジューリングおよび送信機最適化部とを備えることを特徴としている。
【００７９】
本発明の第３の側面によると、本発明のユーザ装置は、上記課題を解決するために、基地局との間で制御シグナリングおよびユーザデータの通信を行う送受信部と、占用する下りリンク基礎帯域をそれぞれ検出し、基礎帯域のそれぞれにおけるフィードバックしようとする上りリンク制御シグナリング情報を取得するフィードバック情報生成部と、それぞれの基礎帯域幅におけるフィードバックしようとする情報の内容に基づいて、対応する上りリンク制御チャネルのフォーマットを決定し、分配されたシーケンスに基づいて、上記情報を対応する上りリンクリソースにマッピングさせ、基地局にフィードバックする情報フィードバック部とを備えることを特徴としている。
【００８０】
また、本発明は、上記基地局および上記ユーザ装置を含む通信システムを提供する。
【産業上の利用可能性】
【００８１】
基地局は、上りリンクと下りリンクのシステム帯域幅が一致していない場合であっても、上りリンク制御シグナリング情報のフィードバックを容易に行うことができるので、第３世代以後の移動通信システムやデジタルテレビ放送等のＬＴＥ−Ａｄｖａｎｃｅｄシステムに好適である。
【符号の説明】
【００８２】
１００    通信システム
１０１    基地局
１０２    ユーザ装置
１０５    無線セル（セル）
１０１０    送受信部（送受信手段）
１０１１    リソース割当部（リソース割当手段）
１０１２    シーケンス割当部（シーケンス割当手段）
１０１３    リソーススケジューリング送信最適化部（リソーススケジューリング送信最適化手段）
１０２０    送受信部（送受信手段）
１０２１    フィードバック情報生成部（フィードバック情報生成手段）
１０２２    情報フィードバック部（情報フィードバック手段）
【図１】
2010018826.tif 000003
【図２】
2010018826.tif 000004
【図３】
2010018826.tif 000005
【図４】
2010018826.tif 000006
【図５】
2010018826.tif 000007
【図６】
2010018826.tif 000008
【図７】
2010018826.tif 000009
【図８】
2010018826.tif 000010
【図９】
2010018826.tif 000011
【図１０】
2010018826.tif 000012
【図１１】
2010018826.tif 000013
【図１２】
2010018826.tif 000014
【図１３】
2010018826.tif 000015
【図１４】
2010018826.tif 000016
【図１５】
2010018826.tif 000017
【図１６】
2010018826.tif 000018
【図１７】
2010018826.tif 000019
【国際調査報告】
2010018826.tif 000020
2010018826.tif 000021